(57)【要約】【課題】調理を行う際に焼網上における被調理物の最適な載置位置を使用者に対して確実に案内し、調理失敗を防止することができるグリル装置を提供する。【解決手段】選択された被調理物に対応する名称データを記憶手段２３から抽出して表示手段２５に被調理物の名称を表示させる名称表示制御を実行すると共に、名称データに対応する被調理物の数量毎の各絵図データを記憶手段２３から抽出して表示手段２５に各絵図を所定時間毎に切り替え表示させる絵図表示制御を実行する表示制御手段２６を設ける。【選択図】図１
2015009039.tif 000002
【特許請求の範囲】
【請求項１】
グリル庫と、該グリル庫から出し入れ自在に設けられて被調理物を載置する焼網と、該焼網上の被調理物を加熱調理するグリルバーナと、該グリルバーナによる加熱調理開始を指示する調理開始指示手段と、複数の異なる被調理物の中から所望の被調理物を操作により選択する選択操作手段と、画面表示を行う表示手段と、該表示手段に表示する表示データを予め記憶した記憶手段と、該記憶手段から前記選択操作手段の操作に応じた表示データを抽出して前記表示手段に表示させる表示制御手段と、前記選択操作手段により選択された被調理物に対応する自動調理を行うべく前記グリルバーナを制御する加熱制御手段とを備えるグリル装置において、
前記記憶手段は、各被調理物の名称を示す複数の名称データと、各名称データに対応する被調理物の数量毎に焼網上における載置位置を案内する絵図を示す複数の絵図データとを前記表示データとして記憶しており、
前記表示制御手段は、前記選択操作手段により選択された被調理物に対応する前記名称データを前記記憶手段から抽出して前記表示手段に被調理物の名称を表示させる名称表示制御を実行すると共に、該名称データに対応する被調理物の数量毎の各絵図データを前記記憶手段から抽出して前記表示手段に各絵図を所定時間毎に切り替え表示させる絵図表示制御を実行することを特徴とするグリル装置。
【請求項２】
請求項１記載のグリル装置において、
前記表示制御手段は、前記選択操作手段による被調理物の選択操作時から前記調理開始指示手段により調理開始が指示されるまでの間、前記絵図表示制御を実行することを特徴とするグリル装置。
【請求項３】
請求項１又は２記載のグリル装置において、
前記記憶手段は、加熱時における温度分布の異なるグリル庫の複数種の前記絵図データを記憶しており、
前記表示制御手段は、グリル庫の温度分布に対応する絵図データのみを前記記憶手段から抽出して前記絵図表示制御を実行することを特徴とするグリル装置。
【発明の詳細な説明】
【技術分野】
【０００１】
本発明は、焼き魚等の調理を行うグリル装置に関する。
【背景技術】
【０００２】
この種のグリル装置は、グリル庫と、魚等の被調理物を載置する焼網と、焼網上の被調理物を加熱調理するグリルバーナとを備えており、ガスコンロに組み込まれることにより、所謂グリル付きガスコンロが構成される。また、近年のグリル付きガスコンロにおいては、液晶表示盤等によって画面表示を行う表示手段を備えるものが知られている（例えば下記特許文献１参照）。
【０００３】
上記の表示手段を用いることで、例えば、グリル装置を用いた自動調理を魚等の被調理物の種類毎に切り替えて表示させ、所定の選択操作を行うことによって容易に所望の自動調理を選択することができる。
【０００４】
また、上記の表示手段を用いて被調理物のイメージ画像を表示させることにより、自動調理が視覚的に確認できて使い勝手が向上する。
【先行技術文献】
【特許文献】
【０００５】
【特許文献１】特開２０１１−２５７１３６号公報
【発明の概要】
【発明が解決しようとする課題】
【０００６】
ところで、グリル装置は、その型式によってグリル庫の内部形状やグリルバーナの構成が異なり、これによって型式毎にグリル庫内の温度分布が異なる場合がある。このため、グリル装置を用いて魚等の調理を行うときには、グリル庫内の温度分布に対して最適な位置となるように魚等を焼網上に載置する必要がある。
【０００７】
しかし、使用者にとって、グリル庫内の温度分布を把握することは困難であり、焼網上に載置した魚等の位置が最適か否かを判断することが難しい。また、グリル付きガスコンロの買い替えにより型式の異なる機種となった場合にも、買い替え後のグリル庫内の温度分布が、買い替え前のグリル庫内の温度分布と同じであるとは限らず、このことを使用者が把握することは難しい。
【０００８】
そこで、取扱説明書により焼網上への魚等の置き方を案内することが行われているが、取扱説明書が離れた場所に保管されていたり、使用者が取扱説明書の保管場所を忘れてしまった場合には、即座に参照することができず、焼網上への魚の置き方を誤って、焦げ過ぎ或いは生焼け等の調理失敗が生じるおそれがある。
【０００９】
上記の点に鑑み、本発明は、調理を行う際に焼網上における被調理物の最適な載置位置を使用者に対して確実に案内し、調理失敗を防止することができるグリル装置を提供することを目的とする。
【課題を解決するための手段】
【００１０】
本発明は、グリル庫と、該グリル庫から出し入れ自在に設けられて被調理物を載置する焼網と、該焼網上の被調理物を加熱調理するグリルバーナと、該グリルバーナによる加熱調理開始を指示する調理開始指示手段と、複数の異なる被調理物の中から所望の被調理物を操作により選択する選択操作手段と、画面表示を行う表示手段と、該表示手段に表示する表示データを予め記憶した記憶手段と、該記憶手段から前記選択操作手段の操作に応じた表示データを抽出して前記表示手段に表示させる表示制御手段と、前記選択操作手段により選択された被調理物に対応する自動調理を行うべく前記グリルバーナを制御する加熱制御手段とを備えるグリル装置において、前記記憶手段は、各被調理物の名称を示す複数の名称データと、各名称データに対応する被調理物の数量毎に焼網上における載置位置を案内する絵図を示す複数の絵図データとを前記表示データとして記憶しており、前記表示制御手段は、前記選択操作手段により選択された被調理物に対応する前記名称データを前記記憶手段から抽出して前記表示手段に被調理物の名称を表示させる名称表示制御を実行すると共に、該名称データに対応する被調理物の数量毎の各絵図データを前記記憶手段から抽出して前記表示手段に各絵図を所定時間毎に切り替え表示させる絵図表示制御を実行することを特徴とする。
【００１１】
本発明のグリル装置は、前記選択操作手段により所望の被調理物を選択すると、前記表示制御手段が前記名称表示制御を実行する。これにより、当該被調理物の名称（種類や形態等を含む）が前記表示手段に表示され、使用者は、表示手段に表示された名称を確認して調理を行う被調理物の選択を円滑に行うことができる。具体的な一例として、魚調理の場合、姿焼き、切り身、干物といった名称のうち選択されたものが、前記表示制御手段による前記名称表示制御によって表示手段に表示される。
【００１２】
更に、前記選択操作手段により所望の被調理物が選択されると、前記表示制御手段は前記絵図表示制御を実行し、選択された被調理物の数量毎の各絵図を前記表示手段に所定時間毎に切り替え表示する。
【００１３】
即ち、表示手段の画面において、魚（サンマやイワシ等）の姿焼きが選択されているとき、１匹の生魚を焼網上の最適位置に載置した絵図が表示され、数秒（所定時間）経過すると、焼網上に２匹の生魚を最適位置に並べて載置した絵図が表示され、数秒（所定時間）経過すると、焼網上に３匹の生魚を最適位置に並べて載置した絵図が表示される。魚（サケやブリ等）の切り身が選択されているときや、魚（アジやシシャモ等）の干物が選択されているときにも、同様に、数に応じて焼網上の最適な載置位置を示す絵図が順次切り替わって表示される。
【００１４】
このように、選択した被調理物の数量毎に順次絵図が切り替わり表示されるので、使用者は、これから調理をしようとする被調理物とその数量に合った焼網上の置き方を視覚的に把握することができる。従って、使用者は、表示された絵図の案内通りに被調理物を焼網上に載置することで調理失敗を防止することができる。
【００１５】
また、本発明において、前記表示制御手段は、前記選択操作手段による被調理物の選択操作時から前記調理開始指示手段により調理開始が指示されるまでの間、前記絵図表示制御を実行することが好ましい。
【００１６】
使用者は、表示手段の画面を確認しながら選択操作を行う。この際に表示画面に前記絵図による案内が表示されることにより、使用者は焼網上の最適な載置位置を確実に確認することができる。そして、調理開始指示手段の操作により調理が開始されれば、使用者への前記絵図による案内は不要となる。よって、調理開始指示手段により調理開始が指示されたとき、前記絵図表示制御の実行を終了させることで、不要な表示を無くして使用者の混乱を防止することができる。
【００１７】
また、本発明において、前記記憶手段は、加熱時における温度分布の異なるグリル庫の複数種の前記絵図データを記憶しており、前記表示制御手段は、グリル庫の温度分布に対応する絵図データのみを前記記憶手段から抽出して前記絵図表示制御を実行することを特徴とする。
【００１８】
グリル装置は、その型式によりグリル庫の形状やグリルバーナの構成が異なると、グリル庫内の温度分布が異なる場合がある。そこで、本発明においては、温度分布の異なるグリル庫毎に複数種（好ましくは前記表示手段を備える型式の全て）の前記絵図データを記憶手段に予め記憶させておく。即ち、１つの型式のグリル装置で表示させる前記絵図データだけでなく、他の型式のグリル装置に適応する前記絵図データも一緒に記憶手段に記憶させておく。
【００１９】
そして、例えば、グリル装置の型式を識別情報として予め設定しておき、この識別情報を前記表示制御手段が参照して当該グリル装置のグリル庫の温度分布に対応する絵図データを前記記憶手段から抽出するように構成する。こうすることで、グリル装置の型式が異なるものの間で、前記記憶手段の絵図データに関する記憶内容を共通化することができる。従って、グリル装置の型式毎に異なる記憶内容の記憶手段を設ける場合に比べ、製造上の効率もよい。
【図面の簡単な説明】
【００２０】
【図１】本発明の実施形態であるグリル装置の構成を模式的に示す説明図。
【図２】設定操作パネルの一部を示す平面図。
【図３】魚焼きメニュー選択画面における名称表示の切り替わりを示す説明図。
【図４】魚焼きメニュー選択画面における焼き加減表示の切り替わりを示す説明図。
【図５】姿焼きが選択された状態の画面における絵図表示の切り替わりを示す説明図。
【図６】切身が選択された状態の画面における絵図表示の切り替わりを示す説明図。
【図７】干物が選択された状態の画面における絵図表示の切り替わりを示す説明図。
【発明を実施するための形態】
【００２１】
本発明の実施形態について図面を参照して説明する。図１は、本実施形態のグリル装置１の構成を模式的に示している。なお、本実施形態のグリル装置１は、図示しないが、天面に複数のコンロバーナを備えるガスコンロの筐体に組み込まれている。
【００２２】
グリル装置１は、図１に示すように、前面開口２を有するグリル庫３と、グリル庫３の前面開口２を開閉自在に閉塞するグリル扉４とを備えている。グリル扉４には受け皿５が支持されている。受け皿５は、グリル扉４の開閉によりグリル庫３内から出し入れされる。受け皿５には、魚等の被調理物を載置する焼網６が取り付けられている。
【００２３】
グリル庫３の内部には、焼網６に載置された被調理物を上下から加熱するためのグリルバーナ７，８が設けられている。
【００２４】
グリルバーナ７，８は、グリルコントローラ９が機能的に備える燃焼制御部１０（加熱制御手段）により制御される。
【００２５】
図示しないコンロ筐体の前面には、グリルコントローラ９に対して各種の設定や運転指示を行う設定操作パネル１１と、グリルバーナ７，８の点火と消火を指示するためのグリルバーナ点消火釦１２（調理開始指示手段）とが設けられている。
【００２６】
グリルバーナ７，８は、その夫々が、グリルバーナ点火電極１３，１４により点火される。点火されたグリルバーナ７，８の夫々の燃焼状態は、グリルバーナ熱電対１５，１６により検出される。また、グリル庫３には、グリル庫３内部の温度を検出するグリル温度センサ１７が設けられている。
【００２７】
グリルバーナ７，８には、ガス供給管１８を介して燃料ガスが供給される。ガス供給管１８には、グリルバーナ７，８に対して各別に燃料ガスの供給と遮断を切り替えるグリルバーナ元ガス弁１９，２０とグリルバーナガス量調節弁２１，２２とが設けられている。
【００２８】
グリルコントローラ９は、マイクロコンピュータ等の電子ユニットであり、記憶装置２３及びタイマ２４を備えている。グリルコントローラ９には、設定操作パネル１１からの信号、グリルバーナ点消火釦１２からの信号、グリル温度センサ１７の温度検出信号、各熱電対１５，１６の燃焼状態検出信号が入力される。
【００２９】
また、グリルコントローラ９には、各種情報（後述の魚焼きメニューやタイマ時間等）を表示する画面表示器２５（表示手段）が接続されている。画面表示器２５は、図示しないガスコンロの天板に設けられ、ドットマトリクス方式の液晶表示盤が採用されている。画面表示器２５としては、液晶表示盤以外に、有機エレクトロルミネッセンス（有機ＥＬ）、発光ダイオード（ＬＥＤ）表示装置、蛍光表示管（ＶＦＤ）等を挙げることができ、何れにおいてもドットマトリクス方式を採用したものが好ましい。
【００３０】
また、グリルコントローラ９には、図示しないが、設定操作パネル１１を構成するスイッチ類の近傍に設けられているＬＥＤランプやブザーも接続されている。
【００３１】
記憶装置２３には、グリル制御用プログラムが格納されており、グリルコントローラ９は、上記の各入力信号に基づいて燃焼制御部１０において制御用プログラムを実行することによりグリルバーナ７，８の燃焼運転を行う。
【００３２】
また、記憶装置２３には、魚（被調理物）の自動調理レコードが格納されている。本実施形態における自動調理レコードは、型式データ、魚焼きメニュー表示用データ、及びグリル制御用データにより構成されている。
【００３３】
型式データは、グリル装置１の型式を示すデータである。魚焼きメニュー表示用データとして、魚焼き調理の名称（姿焼き、切身、干物）、焼き加減（強め、標準、弱め）、及び魚焼き調理の名称に応じて夫々複数種ずつ（本実施形態では３つずつ）の絵図が登録されている。グリル制御用データとして、火力及び時間が登録されている。
【００３４】
魚焼きメニュー表示用データは、グリルコントローラ９が機能として備える表示制御部２６（表示制御手段）の制御により画面表示器２５に表示される。そして、画面表示器２５に表示される魚焼きメニューは、使用者が設定操作パネル１１で所定の操作を行うことにより選択される。燃焼制御部１０は、このとき選択された魚焼きメニューの制御用データを用いて制御用プログラムによりグリルバーナ７，８を制御する。
【００３５】
ここで、魚焼きメニューの選択動作について説明する。設定操作パネル１１は、その一部を図２に示すように、魚焼きメニュー選択キー２７、プラスキー２８、及びマイナスキー２９を備えている。プラスキー２８、及びマイナスキー２９は焼き加減設定キーとして機能する。
【００３６】
魚焼きメニュー選択キー２７は、本発明の選択操作手段として機能するものである。魚焼きメニュー選択キー２７が押されると、グリルコントローラ９は、魚焼きメニューの選択モードに入る。魚焼きメニューの選択モードに入ると、表示制御部２６は、記憶装置２３の自動調理レコードの魚焼きメニュー表示用データを読み出し、図３に示すように、画面表示器２５に表示させる。具体的には、左端から右端に向かって、タグ項目表示３０、絵図表示３１、名称表示３２、焼き加減表示３３の順に表示される。
【００３７】
本実施形態における記憶装置２３には、前述した通り、当該グリル装置１で用いる自動調理レコード以外に、型式の異なる他のグリル装置で用いる自動調理レコードも登録されている。これにより、グリル装置を組み込むガスコンロの製造時に、記憶装置２３の記憶内容を共通化することができ製造効率を向上させることができる。そして、グリル装置１は、自身の型式情報に基づいてその型式に合致する自動調理レコードのみを、記憶装置２３から抽出するようになっている。この場合、出荷段階でその型式に合致した自動調理レコードになるよう設定しておくことが挙げられる。また、このときの設定が不用意に変更されるのを防止するためのロック機能を備えておくことが好ましい。
【００３８】
なお、記憶装置２３に登録しておく自動調理レコードは、当該グリル装置１の型式に合致する自動調理レコードのみであってもよい。
【００３９】
表示制御部２６は、選択された魚焼きメニューに対応する名称データを記憶装置２３から抽出して画面表示器２５に表示させる（名称表示制御）。これによる画面表示器２５の表示は、図３に示すように、魚焼きメニュー選択キー２７を押す毎に、名称表示３２（姿焼き、切身、干物）とが順次切り替わり、一巡すると「取り消し」を経て再び最初の名称表示３２に戻る。
【００４０】
そして、画面表示器２５に何れかの名称表示３２が行われている状態で、プラスキー２８又はマイナスキー２９が押されると、表示制御部２６は、図４に示すように、焼き加減表示３３（標準、強め、弱め）を切り替える。図４においては、姿焼きが選択されている場合を示しているが、切身や干物が選択されているときも同様である。
【００４１】
これまでの設定操作により、現在画面表示器２５に表示されている名称と焼き加減が設定されるが、更に、表示制御部２６は、記憶装置２３の絵図データを読み出し、絵図表示３１をタイマ２４の計時により所定時間毎（本実施形態では２秒毎）に切り替える（絵図表示制御）。絵図データは、魚の数量毎に焼網上における最適の載置位置を案内するものであり、夫々の名称表示３２（姿焼き、切身、干物）に対応して複数（本実施形態では３つずつ）用意されている。
【００４２】
具体的な画面表示器２５の表示の一例を図５〜図７に示す。即ち、図５は、姿焼きが選択された状態であり、絵図表示３１は、魚の数量が１つの場合の焼網への置き方を示す絵図、魚の数量が２つの場合の焼網への置き方を示す絵図、魚の数量が３つの場合の焼網への置き方を示す絵図が所定時間毎（２秒毎）に順次切り替わる。なお、画面表示器２５に表示する絵図の切り替え時間は、本実施形態では２秒毎としているが、使用者が画面表示器２５の表示確認が可能となる適度な時間であればよく、通常は１秒〜３秒程度に設定される。
【００４３】
図６は、切身が選択された状態であり、絵図表示３１は、切身の数量が２つの場合の焼網への置き方を示す絵図、切身の数量が４つの場合の焼網への置き方を示す絵図、切身（薄切り）の数量が４つの場合の焼網への置き方を示す絵図が所定時間毎（２秒毎）に順次切り替わる。
【００４４】
図７は、干物が選択された状態であり、絵図表示３１は、干物（シシャモ等の小さめの魚）の数量が４つの場合の焼網への置き方を示す絵図、干物（アジの開き等の中程度の大きさ魚）の数量が２つの場合の焼網への置き方を示す絵図、干物（ホッケ等の大きめの魚）の数量が１つの場合の焼網への置き方を示す絵図が所定時間毎（２秒毎）に順次切り替わる。
【００４５】
このように、表示制御部２６が絵図表示制御を実行し、選択されている魚焼きメニューにおける魚の数量に応じた焼網上への載置位置が画面表示器２５に表示されることにより、使用者は、この時の表示を確認して、焼網６上の最適位置に魚を並べて載置することができる。
【００４６】
そして、焼網６上に魚を載置してグリル扉４を閉め、グリルバーナ点消火釦１２が押されると、表示制御部２６は、画面表示器２５の絵図表示３１を終了させ、グリルコントローラ９は、選択された（表示された）魚焼きメニューに対応する自動調理レコードの制御用データを用いて上下のグリルバーナ７，８の燃焼を制御する。
【符号の説明】
【００４７】
１…グリル装置、３…グリル庫、６…焼網、７，８…グリルバーナ、１０…燃焼制御部（加熱制御手段）、１２…グリルバーナ点消火釦（調理開始指示手段）、２３…記憶装置（記憶手段）、２５…画面表示器（表示手段）、２６…表示制御部（表示制御手段）、２７…魚焼きメニュー選択キー（選択操作手段）。
【図１】
2015009039.tif 000003
【図２】
2015009039.tif 000004
【図３】
2015009039.tif 000005
【図４】
2015009039.tif 000006
【図５】
2015009039.tif 000007
【図６】
2015009039.tif 000008
【図７】
2015009039.tif 000009